(57)【要約】【課題】接続された携帯機器との通信を行うというMHL規格の要求を満たしかつ充電用の給電時に消費電力を抑えられる情報処理装置、情報処理方法、および情報処理プログラムを提供する。【解決手段】電子機器と伝送路を通じて接続可能な接続部と、接続部に接続された電子機器とＭＨＬ規格により通信を行うことが可能な通信部と、タイマを有し、電子機器からのディスカバリ信号を待機する第１のスタンバイモードにあるとき、当該ディスカバリ信号を受信すると、通信部を用いて電子機器との通信が可能な通信モードに移行し、当該通信の終了後、第２のスタンバイモードに移行する制御部とを具備し、第２のスタンバイモードは、タイマを起動させ、あらかじめ設定された時間、電子機器からのディスカバリ信号の受信が途絶えたとき第１のスタンバイモードに復帰し、あらかじめ設定された時間内にディスカバリ信号が受信されたときタイマをリセットするモードである。【選択図】図３
2014002448.tif 000002
【特許請求の範囲】
【請求項１】
電子機器と伝送路を通じて接続可能な接続部と、
前記接続部に接続された前記電子機器とＭＨＬ規格により通信を行うことが可能な通信部と、
タイマを有し、前記電子機器からのディスカバリ信号を待機するように振る舞う第１のスタンバイモードにあるとき、当該ディスカバリ信号を受信すると、前記通信部を用いて電子機器との通信が可能な通信モードに移行し、当該通信の終了後、第２のスタンバイモードに移行する制御部と
を具備し、
前記第２のスタンバイモードは、当該通信の終了後、前記タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞うモードである
情報処理装置。
【請求項２】
請求項１に記載の情報処理装置であって、
前記接続された電子機器に前記接続部を通じて給電を行うことが可能な給電部をさらに具備し、
前記制御部は、前記通信により前記電子機器を充電するために必要な充電情報を取得し、前記第２のスタンバイモードのときに、前記充電情報をもとに前記電子機器に給電を行うように前記給電部を制御する
情報処理装置。
【請求項３】
請求項２に記載の情報処理装置であって、
前記制御部は、前記通信の終了後、予め定められた時間が経過した後、前記第２のスタンバイモードに移行する情報処理装置。
【請求項４】
制御部が、
ＭＨＬ規格により接続部に接続された電子機器からのディスカバリ信号を待機するように振る舞う第１のスタンバイモードにあるとき、
当該ディスカバリ信号を受信すると、
前記電子機器と通信を行うことが可能な通信部を起動させて前記電子機器との通信が可能なように振る舞う通信モードに移行し、
当該通信の終了後、
タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞う第２のスタンバイモードに移行する
情報処理方法。
【請求項５】
電子機器と伝送路を通じてＭＨＬ規格により接続可能な接続部と、前記接続部に接続された前記電子機器と通信を行うことが可能な通信部と、タイマとを具備するコンピュータを動作させる情報処理プログラムであって、
前記電子機器からのディスカバリ信号を待機するように振る舞う第１のスタンバイモードにあるとき、
当該ディスカバリ信号を受信すると、
前記通信部を起動させて前記電子機器との通信が可能なように振る舞う通信モードに移行し、
当該通信の終了後、
前記タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞う第２のスタンバイモードに移行する
制御部として、
前記コンピュータを機能させるための情報処理プログラム。
【発明の詳細な説明】
【技術分野】
【０００１】
本技術は、ＭＨＬ（Mobile High-definition Link、登録商標）規格において、外部機器の充電中にスタンバイ状態を継続する技術に関する。
【背景技術】
【０００２】
近年では、ユーザ・フレンドリーの観点から、スタンバイ状態の機器（例えばテレビジョン受像機）にコンテンツを再生できる外部機器を接続すると、テレビジョン受像機の電源が自動的にオンになるなど、ユーザの手間を省く工夫が多くされている。また、機器本体に接続された携帯機器を充電するため、接続ケーブルを通じて充電用の電力を供給する充電モードを備えた機器もある。（例えば、特許文献１参照。）
【先行技術文献】
【特許文献】
【０００３】
【特許文献１】特開２０１１−２５０４０９号公報
【発明の概要】
【発明が解決しようとする課題】
【０００４】
ＭＨＬ規格にも、ＣＥＣ（Consumer Electronics Control）と同様の機能がある。例えば、ワン・タッチ・プレイ機能では、携帯機器においてコンテンツの再生が行われた際、接続されたテレビジョン受像機の電源がオンし、再生を行う携帯機器が接続された入力端子への入力切り替えが自動的に行われる。また、ＭＨＬ規格では５Ｖの電源が供給されるので、携帯機器の充電も行える。
【０００５】
ユーザは、携帯機器を充電する為に、ＭＨＬケーブルを介してテレビジョン受像機に携帯機器を接続することもできる。その場合、テレビジョン受像機は充電用の電源を供給するだけなので、できればスタンバイ状態になって消費電力を抑えたい。
【０００６】
しかし、ＭＨＬ規格では、テレビジョン受像機がスタンバイ状態になると、携帯機器がディスカバリという通信を開始しテレビジョン受像機の電源がオンになってしまい、消費電力が抑えられないという問題があった。
【０００７】
以上のような事情に鑑み、本技術の目的は、接続された携帯機器との通信を行うというＭＨＬ規格の要求を満たしかつ充電用の給電時に消費電力を抑えられる情報処理装置、情報処理方法、および情報処理プログラムを提供することにある。
【課題を解決するための手段】
【０００８】
（１）上記目的を達成するため、本技術の一形態に係る情報処理装置は、電子機器と伝送路を通じて接続可能な接続部と、前記接続部に接続された前記電子機器とＭＨＬ規格により通信を行うことが可能な通信部と、タイマを有し、前記電子機器からのディスカバリ信号を待機するように振る舞う第１のスタンバイモードにあるとき、当該ディスカバリ信号を受信すると、前記通信部を用いて電子機器との通信が可能な通信モードに移行し、当該通信の終了後、第２のスタンバイモードに移行する制御部とを具備し、前記第２のスタンバイモードは、当該通信の終了後、前記タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞うモードである。
【０００９】
本技術では、制御部は、消費電力の多い通信モードを終了すると、消費電力の少ない、接続された電子機器を充電可能な第２のスタンバイモードに移行し、タイマ（ウォッチ・ドッグ・タイマ）を起動する。このタイマは、あらかじめ設定された時間が経過すると、制御部を第１のスタンバイモードに移行させるものであり、第１のスタンバイモードに移行した制御部は、再度、電子機器からのディスカバリ信号を待機し、ディスカバリ信号が受信されれば通信モードに移行し、電子機器からの命令に対応する事ができる。制御部が第２のスタンバイモードに移行すると、ＭＨＬ規格に従いそれを検知した電子機器からはディスカバリ信号が繰り返し送信されてくる。しかし、第２のスタンバイモードでは、ディスカバリ信号が受信されても制御部は消費電力の多い通信モードには移行しない。また、制御部はディスカバリ信号が受信されるたびに、タイマをリセットするので、ディスカバリ信号が受信される限りは、第２のスタンバイモードが継続され、消費電力を抑えつつ、電子機器の充電を継続できる。情報処理装置と電子機器との接続が解除されるなどしてディスカバリ信号が受信されなくなり、あらかじめ設定された時間が経過するとタイマが作動し、制御部は、第１のスタンバイモードに移行する。それ故、本技術では、接続された携帯機器との通信を行うというＭＨＬ規格の要求を満たしかつ充電用の給電時に消費電力を抑えることができるという効果を奏する。
【００１０】
（２）また、上記目的を達成するため、本技術の一形態に係る情報処理装置は、前記接続された電子機器に前記接続部を通じて給電を行うことが可能な給電部をさらに具備し、前記制御部は、前記通信により前記電子機器を充電するために必要な充電情報を取得し、前記第２のスタンバイモードのときに、前記充電情報をもとに前記電子機器に給電を行うように前記給電部を制御する。
【００１１】
本技術では、情報処理装置は、接続された電子機器を充電するために給電を行う給電部を備えており、制御部が電子機器と通信して電子機器を充電するために必要な充電情報を取得し、その充電情報に基づいて必要なアンペア数の電流を供給する。それ故、情報処理装置は、適切に電子機器を充電することができるという効果を奏する。
【００１２】
（３）また、上記目的を達成するため、本技術の一形態に係る情報処理装置は、前記制御部は、前記通信の終了後、予め定められた時間が経過した後、前記第２のスタンバイモードに移行する。
【００１３】
本技術では、情報処理装置は、通信モードにおける通信が終了した後も、予め定められた時間、例えば５分間、通信モードを継続する。それ故、通信終了後に、ユーザがＭＨＬケーブルの素早い抜き差しなどを行っても、情報処理装置の誤動作を防止することができるという効果を奏する。
【００１４】
（４）また、上記目的を達成するため、本技術の他の形態に係る情報処理方法では、制御部が、ＭＨＬ規格により接続部に接続された電子機器からのディスカバリ信号を待機するように振る舞う第１のスタンバイモードにあるとき、当該ディスカバリ信号を受信すると、前記電子機器と通信を行うことが可能な通信部を起動させて前記電子機器との通信が可能なように振る舞う通信モードに移行し、当該通信の終了後、タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞う第２のスタンバイモードに移行する。
【００１５】
（５）また、上記目的を達成するため、本技術の他の形態に係る情報処理プログラムは、電子機器と伝送路を通じてＭＨＬ規格により接続可能な接続部と、前記接続部に接続された前記電子機器と通信を行うことが可能な通信部と、タイマとを具備するコンピュータを動作させる情報処理プログラムであって、前記電子機器からのディスカバリ信号を待機するように振る舞う第１のスタンバイモードにあるとき、当該ディスカバリ信号を受信すると、前記通信部を起動させて前記電子機器との通信が可能なように振る舞う通信モードに移行し、当該通信の終了後、前記タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞う第２のスタンバイモードに移行する制御部として、前記コンピュータを機能させる。
【発明の効果】
【００１６】
以上のように、本技術によれば、接続された携帯機器との通信を行うというMHL規格の要求を満たしかつ充電用の給電時に消費電力を抑えられる。
【図面の簡単な説明】
【００１７】
【図１】テレビジョン受像機のブロック図である。
【図２】携帯機器をテレビジョン受像機に、ＭＨＬケーブルを介して接続した時の従来の流れを示す図である。
【図３】携帯機器をテレビジョン受像機に、ＭＨＬケーブルを介して接続した時の本技術による流れを示す図である。
【発明を実施するための形態】
【００１８】
以下、本技術に係る実施形態を、図面を参照しながら説明する。
【００１９】
［ＭＨＬ規格について］
従来からのＨＤＭＩ（High-Definition Multimedia Interface、登録商標）規格は、テレビジョン受像機やビデオ機器などのＡＶ機器を接続するインターフェイス規格として広く普及している。携帯機器もＨＤＭＩ規格を用いてＡＶ機器と接続することが可能であり、携帯機器側のコネクタとして小さいものが開発されている。
【００２０】
携帯機器とＡＶ機器を接続するために開発されたＭＨＬ規格も、基本的にはＨＤＭＩ規格と同様である。相違点としては、映像信号を受信し表示するＡＶ機器側（以下シンク機器という）から映像信号を送信する携帯機器（以下ソース機器という）への電源供給ができることが挙げられる。
【００２１】
ソース機器は長時間持続可能な電源を持たない事が多く、また、動画の再生などを行うと多くの電力を消費するので電源が持つ時間が短くなるという特性がある。シンク機器から電源が供給されれば、電源が切れることなく持続的に使用可能となる。また、ＭＨＬケーブルを介してシンク機器と接続しておくことにより、シンク機器をソース機器の充電器として利用することができる。
【００２２】
ＭＨＬのコネクタは、ソース機器側は小さく、Ｍｉｃｒｏ−ＵＳＢ（Universal Serial Bus）仕様である。それ故、ソース機器は、Ｍｉｃｒｏ−ＵＳＢコネクタに接続された機器がＵＳＢ機器なのかＭＨＬ機器なのかを判断する必要がある。ＭＨＬ規格では、ソース機器は、ディスカバリという通信を行い、シンク機器として何が接続されているかを知る事ができるとともに、接続されている機器がＵＳＢ機器なのかＭＨＬ機器なのかを知ることができる。
【００２３】
ＭＨＬ規格には、ＨＤＭＩ規格と同様にＣＥＣ（Consumer Electronics Control）機能がある。例えば、ワン・タッチ・プレイ機能では、ソース機器においてコンテンツの再生が行われた際、接続されたシンク機器の電源がオンし、再生を行うソース機器が接続された入力端子への入力切り替えが行われる。ワン・タッチ・プレイなどの命令は、ＣＢＵＳ（Control Bus）のピンを通じて伝送される。
【００２４】
以下の説明では、ソース機器として携帯機器、シンク機器としてテレビジョン受像機を用いて説明を行う。
【００２５】
［テレビジョン受像機２０のブロック図］
図１は、テレビジョン受像機２０のブロック図である。
【００２６】
テレビジョン受像機２０（情報処理装置）は、ＣＰＵ（Central Processing Unit）２１（制御部）、スタンバイ電源部２２、メイン電源部２４（給電部）、ＭＨＬコントローラ部２５（通信部）を含んで構成される。この図では、テレビジョン受像機２０は、ＭＨＬケーブル３０（伝送路）および図示しないコネクタ（接続部）を介して、携帯機器１０と（電子機器）接続されている。
【００２７】
なお、後述するタイマは、ＣＰＵ２１により実現されるものなので、ブロック図では図示していない。
【００２８】
スタンバイ電源部２２は、テレビジョン受像機２０やＣＰＵ２１がどのモードであっても常にオン状態にある電源であり、ＣＰＵ２１がスタンバイモードにあるときにも電力を供給することが出来る。
【００２９】
メイン電源部２４は、ＭＨＬコントローラ部２５を含めたテレビジョン受像機２０の全体に電力を供給する電源であり、ＣＰＵ２１から制御され、オンされる。ＣＰＵ２１がスタンバイモードにある時は、オフになっている。
【００３０】
ＣＰＵ２１の通常モードでは、ＣＰＵ２１が完全に立ち上がっている状態であり、メイン電源部２４から電力が供給される。ＣＰＵ２１のスタンバイモードでは、ＣＰＵ２１は、ディスカバリ信号の受信の監視など限られた機能のみ実現することができ、スタンバイ電源部２２から電力が供給される。
【００３１】
テレビジョン受像機２０のスタンバイモードでは、ＣＰＵ２１はスタンバイモードでのオンとなっており、それ以外ではスタンバイ電源部２２がオンになっているだけであり、テレビジョン受像機２０の全体には電力が供給されていない。
【００３２】
テレビジョン受像機２０のＭＨＬ充電スタンバイモード（第１のスタンバイモード）では、ＣＰＵ２１はスタンバイモードでのオンとなっており、それ以外ではスタンバイ電源部２２がオンである。このモードでは、まだ携帯機器１０とのディスカバリの通信は行われていない。
【００３３】
テレビジョン受像機２０のＭＨＬ充電モード（第２のスタンバイモード）では、ディスカバリの通信が行われ、ケイパビリティ・チェックの通信を行い給電する電流の値が分かっている状態である。このモードでは、ＭＨＬコントローラ部２５およびメイン電源部２４がオフであり、ＣＰＵ２１がスタンバイモードになっている。
【００３４】
［従来の流れと問題点］
図２は、携帯機器１０をテレビジョン受像機２０に、ＭＨＬケーブル３０を介して接続した時の従来の流れを示す図である。左側に示すフローチャートが携帯機器１０のものであり、右側に示すフローチャートがテレビジョン受像機２０のものである。
【００３５】
最初、テレビジョン受像機２０は、スタンバイモードにある。スタンバイモードでは、ＣＰＵ２１が、ＭＨＬケーブル３０のコネクタへの挿入の発生を監視している（ステップＳ１１）。
【００３６】
ＭＨＬケーブル３０を介してテレビジョン受像機２０に接続された携帯機器１０は、ＭＨＬケーブル３０内のバスのインピーダンスから、テレビジョン受像機２０がＭＨＬ充電スタンバイモードであることを検知して、ディスカバリ信号を送信する（ステップＳ１）。
【００３７】
ＭＨＬケーブル３０が挿入されただけでは、テレビジョン受像機２０はソース機器として何が接続されたのかを知ることはできない。そのとき、ソース機器が、ディスカバリという通信を行ってくるので、テレビジョン受像機２０は相手が携帯機器１０である事を知ることができる。そしてテレビジョン受像機２０がディスカバリ信号に対する応答を返すので、携帯機器１０も相手が何であるかを認識することができる。
【００３８】
携帯機器１０からのディスカバリ信号が受信されると（Ｓ１２のＹＥＳ）、テレビジョン受像機２０側では、ＣＰＵ２１がスタンバイモードから通常モードに遷移し、メイン電源部２４およびＭＨＬコントローラ部２５がオンになる（ステップＳ１３）。テレビジョン受像機２０はデジタルオン通信モードに入り、携帯機器１０との通信ができるようになる。
【００３９】
テレビジョン受像機２０がディスカバリ信号に応答するためには、テレビジョン受像機２０全体、特にＭＨＬコントローラ部２５の電源がオンになっていなければならない。それ故、携帯機器１０からディスカバリ信号が送信されると、ＣＰＵ２１は、そのディスカバリ信号をトリガーとして、自身を通常モードに遷移させ、テレビジョン受像機２０のメイン電源部２４およびＭＨＬコントローラ部２５をオンにして、その後、通信ができるようになる。
【００４０】
テレビジョン受像機２０と携帯機器１０の間での通信が終了した後、テレビジョン受像機２０のメイン電源部２４がオンのままでは消費電力が多い。そこで、テレビジョン受像機２０は、ＭＨＬコントローラ部２５およびメイン電源部２４をオフにして、ＣＰＵ２１をスタンバイモードに戻す（ステップＳ１５）。テレビジョン受像機２０は、ＭＨＬ充電モードに入る。
【００４１】
ＭＨＬ充電モードでは、携帯機器１０は、充電を継続する。そして、ＭＨＬケーブル３０内のバスのインピーダンスの変化から、テレビジョン受像機２０のＣＰＵ２１がスタンバイモードに戻ったことを検知して、テレビジョン受像機２０に再度ディスカバリ信号を送信する（ステップＳ４）。
【００４２】
テレビジョン受像機２０側では、Ｓ１２と同様に、ＣＰＵ２１が、携帯機器１０からのディスカバリ信号の受信を監視している（ステップＳ２０）。
【００４３】
テレビジョン受像機２０側でＣＰＵ２１がスタンバイモードに戻ると、それを検知した携帯機器１０から、またディスカバリ信号が送信されてくる。そしてそのディスカバリ信号をトリガーとして、またテレビジョン受像機２０のモードがデジタルオン通信モードに戻る。携帯機器１０の接続を解除（ステップＳ５）するまで、ＭＨＬ充電モードとデジタルオン通信モードとが繰り返されることになる。
【００４４】
ここでの問題は、携帯機器１０が接続されており、テレビジョン受像機２０側では、ＣＰＵ２１がスタンバイモードである限り、携帯機器１０はディスカバリ信号を数秒おきに送信し続ける。それ故、テレビジョン受像機２０は、携帯機器１０を充電するために、また、消費電力を低減させるために、ＭＨＬ充電モードであり続けたいのに、すぐ消費電力の多いデジタルオン通信モードに戻ってしまう。そして、ＭＨＬ充電モードとデジタルオン通信モードとが繰り返されるということである。
【００４５】
この問題に対処するための方法として、一つは最初のディスカバリ信号が送信された後は、テレビジョン受像機２０をデジタルオン通信モードのままにする方法である。この方法では、ワン・タッチ・プレイなどの命令がＭＨＬケーブル３０のＣＢＵＳ（Control Bus）を通じて送信された場合に、適切に対応することができる。しかし、消費電力は大きいままであり、消費電力を削減することはできない。
【００４６】
もう一つの方法は、テレビジョン受像機２０がＭＨＬ充電モードに遷移し、ＣＰＵ２１がスタンバイモードに戻った後は、携帯機器１０から送信されてくるディスカバリ信号に反応しない方法である。この方法では、テレビジョン受像機２０のＣＰＵ２１をスタンバイモードに保てるので、消費電力を少なくすることができる。しかし、ディスカバリ信号に反応しないので、通信を行うことができず、ワン・タッチ・プレイなどの命令がＣＢＵＳを通じて送信された場合に、対応することができない。
【００４７】
［本技術の流れ］
本技術のポイントは、携帯機器１０とテレビジョン受像機２０との通信が終わった後、テレビジョン受像機２０のＣＰＵ２１をスタンバイモードにして、一定の条件が成立する場合以外は、消費電力が小さいＭＨＬ充電モードのままでいるという点である。つまり、ディスカバリ信号が受信されてもテレビジョン受像機２０のＣＰＵ２１は通常モードに戻らず、消費電力が大きいデジタルオン通信モードにはならない。
【００４８】
一定の条件とは、ある期間に亘って、携帯機器１０からのディスカバリ信号の受信が無いという条件である。この条件が成立するのは、例えば、携帯機器１０の充電が完了し、ユーザが携帯機器１０をはずす場合である。この場合、次にテレビジョン受像機２０に携帯機器１０が接続されてディスカバリ信号が送信されるまでにその期間を経過していれば、テレビジョン受像機２０は、またディスカバリ信号に反応する。そして、テレビジョン受像機２０のＣＰＵ２１が通常モードに戻り、デジタルオン通信モードになるので、再度充電を行う事やワン・タッチ・プレイなどの命令に適切に対応することができる。
【００４９】
図３は、携帯機器１０をテレビジョン受像機２０に、ＭＨＬケーブル３０を介して接続した時の本技術による流れを示す図である。図２と同様に、左側に示すフローチャートが携帯機器１０のものであり、右側に示すフローチャートがテレビジョン受像機２０のものである。
【００５０】
以下の説明では、テレビジョン受像機２０側がデジタルオン通信モードになる（ステップＳ１３）ところまでは同様なので、説明を省略し、デジタルオン通信モードにおける、テレビジョン受像機２０と携帯機器１０との通信が終了した時点から説明を行う。
【００５１】
まずＣＰＵ２１が、通信終了後、５分間、ＭＨＬ充電モードへの遷移を待機する。
【００５２】
５分経過（ステップＳ１４のＹＥＳ）すると、テレビ受像機２０の状態は、ＭＨＬ充電モード（ステップＳ１５）に遷移する。デジタルオン通信モードにおける通信が終了してから５分間、さらにデジタルオン通信モードを継続するのは、ユーザによるＭＨＬケーブル３０の素早い抜き差しなどが行われてもテレビジョン受像機２０側が誤動作することを防ぐためである。なお、この５分は一例であり、通信終了後、デジタルオン通信モードを継続する時間はこれに限らない。
【００５３】
ＭＨＬ充電モードに入ると、テレビジョン受像機２０のＣＰＵ２１は、タイマをセットし、スタートさせる（ステップＳ１６）。
【００５４】
このタイマはいわゆるウォッチドッグタイマとしての働きを持つ。このＭＨＬ充電モードでは、携帯機器１０からのディスカバリ信号が受信されてもテレビジョン受像機２０側のＣＰＵ２１は、通常モードに戻らずスタンバイ状態を維持する。テレビジョン受像機２０のＣＰＵ２１がスタンバイモードのままだと、例えば数秒おきに携帯機器１０からディスカバリ信号が送信される。
【００５５】
携帯機器１０側は、充電を継続するとともに、テレビジョン受像機２０側のＣＰＵ２１がスタンバイモードに戻ったことを検知し、ディスカバリ信号の送信を開始する（ステップＳ４）。
【００５６】
ＭＨＬ充電モードでは、ＣＰＵ２１が、携帯機器１０からのディスカバリ信号の受信を監視する（ステップＳ１７）。
【００５７】
ＣＰＵ２１がディスカバリ信号の受信を検知すると（ステップＳ１７のＹＥＳ）、ＣＰＵ２１は、タイマをリセットする（ステップＳ１８）。
【００５８】
タイマはウォッチドッグタイマであり、リセットを行わないで１分経過すると設定された条件が成立してしまうので、ＣＰＵ２１は、ディスカバリ信号を受信するたびにタイマをリセットして、再度１分間の計時を開始する。すなわち、携帯機器１０が接続されている間は、例えば数秒おきにディスカバリ信号が受信され続けるので、タイマにおいて１分が経過することは無く、ＭＨＬ充電モードが継続される。なお、このタイマにより計時する１分は、あくまで一例であり、１分に限られるものではない。
【００５９】
携帯機器１０の接続が解除され（ステップＳ５）、ディスカバリ信号が受信されなくなると、タイマがリセットされないまま１分が経過する（ステップＳ１９のＹＥＳ）。
【００６０】
タイマがリセットされないまま１分が経過すると（ステップＳ１９のＹＥＳ）、テレビジョン受像機２０は、ＭＨＬ充電モードから、ＭＨＬ充電スタンバイモードに遷移する。
【００６１】
携帯機器１０の接続が解除され、ディスカバリ信号が受信されなくなると、タイマがリセットされなくなる。そのまま１分経過すると、テレビジョン受像機２０では、ＭＨＬ充電モードが解除され、ＭＨＬ充電スタンバイモードに戻る。
【００６２】
そして、再度、携帯機器１０がテレビジョン受像機２０にＭＨＬケーブル３０により接続され、ＣＰＵ２１が、再度ディスカバリ信号を受信した際には、ＣＰＵ２１が通常モードになり、メイン電源部２４およびＭＨＬコントローラ部２５がオンにされ、デジタルオン通信モードとなる。
【００６３】
以上のように、タイマを用いることにより、携帯機器１０の充電中は、ディスカバリ信号が受信されてもテレビジョン受像機２０はデジタルオン通信モードに戻ることなくＭＨＬ充電モードを継続できるので、テレビジョン受像機の消費電力を抑えることができる。
【００６４】
また、タイマを用いることにより、携帯機器１０の接続が解除された後は、ＭＨＬ充電モードからＭＨＬ充電スタンバイモードに移行する。それ故、再度携帯機器１０が接続された際には、ワン・タッチ・プレイなどの命令がＣＢＵＳを通じて送信された場合に、適切に対応することができる。
【００６５】
［本技術の別の構成］
なお、本技術は以下のような構成も採ることができる。
（１）電子機器と伝送路を通じて接続可能な接続部と、前記接続部に接続された前記電子機器とＭＨＬ規格により通信を行うことが可能な通信部と、タイマを有し、前記電子機器からのディスカバリ信号を待機するように振る舞う第１のスタンバイモードにあるとき、当該ディスカバリ信号を受信すると、前記通信部を用いて電子機器との通信が可能な通信モードに移行し、当該通信の終了後、第２のスタンバイモードに移行する制御部とを具備し、前記第２のスタンバイモードは、当該通信の終了後、前記タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞うモードである。
（２）前記（１）に記載の情報処理装置であって、前記接続された電子機器に前記接続部を通じて給電を行うことが可能な給電部をさらに具備し、前記制御部は、前記通信により前記電子機器を充電するために必要な充電情報を取得し、前記第２のスタンバイモードのときに、前記充電情報をもとに前記電子機器に給電を行うように前記給電部を制御する情報処理装置。
（３）前記（１）から（２）のうちいずれか１つに記載の情報処理装置であって、前記制御部は、前記通信の終了後、予め定められた時間が経過した後、前記第２のスタンバイモードに移行する情報処理装置。
（４）制御部が、ＭＨＬ規格により接続部に接続された電子機器からのディスカバリ信号を待機するように振る舞う第１のスタンバイモードにあるとき、当該ディスカバリ信号を受信すると、前記電子機器と通信を行うことが可能な通信部を起動させて前記電子機器との通信が可能なように振る舞う通信モードに移行し、当該通信の終了後、タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞う第２のスタンバイモードに移行する情報処理方法。
（５）電子機器と伝送路を通じてＭＨＬ規格により接続可能な接続部と、前記接続部に接続された前記電子機器と通信を行うことが可能な通信部と、タイマとを具備するコンピュータを動作させる情報処理プログラムであって、前記電子機器からのディスカバリ信号を待機するように振る舞う第１のスタンバイモードにあるとき、当該ディスカバリ信号を受信すると、前記通信部を起動させて前記電子機器との通信が可能なように振る舞う通信モードに移行し、当該通信の終了後、前記タイマを起動させ、あらかじめ設定された時間、前記電子機器からのディスカバリ信号の受信が途絶えたとき前記第１のスタンバイモードに復帰し、前記あらかじめ設定された時間内にディスカバリ信号が受信されたとき前記タイマをリセットするように振る舞う第２のスタンバイモードに移行する制御部として、前記コンピュータを機能させるための情報処理プログラム。
【符号の説明】
【００６６】
１０  携帯機器
２０  テレビジョン受像機
２１  ＣＰＵ
２２  スタンバイ電源部
２４  メイン電源部
２５  ＭＨＬコントローラ部
３０  ＭＨＬケーブル
【図１】
2014002448.tif 000003
【図２】
2014002448.tif 000004
【図３】
2014002448.tif 000005